(57)【要約】【課題】記番号を利用して大量の紙幣を容易に管理する。【解決手段】紙幣を管理する紙幣管理システムを、複数紙幣の記番号を管理コードに関連付けて記憶する記憶部と、複数紙幣に付された管理コードとこの複数紙幣を収納する紙幣収納容器に付された収納容器ＩＤとを読み取る読取部と、読取部によって読み取られた管理コードと収納容器ＩＤとを関連付けて管理する紙幣情報管理部とによって構成する。【選択図】  図２
2015056010.tif 000002
【特許請求の範囲】
【請求項１】
複数紙幣の記番号を管理コードに関連付けて記憶する記憶部と、
前記複数紙幣に付された前記管理コードと前記複数紙幣を収納する紙幣収納容器に付された収納容器ＩＤとを読み取る読取部と、
前記読取部によって読み取られた前記管理コードと前記収納容器ＩＤとを関連付けて管理する紙幣情報管理部と
を備えることを特徴とする紙幣管理システム。
【請求項２】
複数紙幣の記番号を管理コードに関連付けて記憶する記憶部と、
前記複数紙幣に付された前記管理コードと前記複数紙幣を収納する紙幣収納容器に付された搬出先情報とを読み取る読取部と、
前記読取部によって読み取られた前記管理コードと前記搬出先情報とを関連付けて管理する紙幣情報管理部と
を備えることを特徴とする紙幣管理システム。
【請求項３】
複数紙幣の記番号を記録した情報記録担体と、
前記複数紙幣に付された前記情報記録担体に記録された前記記番号と前記複数紙幣を収納する紙幣収納容器に付された収納容器ＩＤとを読み取る読取部と、
前記読取部によって読み取られた前記記番号と前記収納容器ＩＤとを関連付けて管理する紙幣情報管理部と
を備えることを特徴とする紙幣管理システム。
【請求項４】
複数紙幣の記番号を記録した情報記録担体と、
前記複数紙幣に付された前記情報記録担体に記録された前記記番号と前記複数紙幣を収納する紙幣収納容器に付された搬出先情報とを読み取る読取部と、
前記読取部によって読み取られた前記記番号と前記搬出先情報とを関連付けて管理する紙幣情報管理部と
を備えることを特徴とする紙幣管理システム。
【請求項５】
複数紙幣に付された管理情報であり前記複数紙幣の記番号を読み取ることにより作成された管理情報と、前記複数紙幣を収納する紙幣収納容器の収納容器情報とを読み取る読取装置と、
前記読取装置によって読み取られた前記管理情報及び前記収納容器情報に基づいて、前記紙幣収納容器に収納された全ての紙幣の記番号を管理する管理装置と
を備えることを特徴とする紙幣管理システム。
【請求項６】
前記管理情報は前記複数紙幣の記番号と関連付けられた管理コードであり、
前記管理装置は、前記管理コードと前記収納容器情報とを関連付けて管理する
ことを特徴とする請求項５に記載の紙幣管理システム。
【請求項７】
前記管理情報は前記複数紙幣の記番号であり、
前記管理装置は、前記記番号と前記収納容器情報とを関連付けて管理する
ことを特徴とする請求項５に記載の紙幣管理システム。
【請求項８】
前記収納容器情報は前記紙幣収納容器を識別するための収納容器ＩＤであって、
前記管理装置は、前記管理情報と前記収納容器ＩＤとを関連付けて管理する
ことを特徴とする請求項５〜７のいずれか１項に記載の紙幣管理システム。
【請求項９】
前記収納容器情報は前記紙幣収納容器の搬出先情報であって、
前記管理装置は、前記管理情報と前記搬出先情報とを関連付けて管理する
ことを特徴とする請求項５〜７のいずれか１項に記載の紙幣管理システム。
【請求項１０】
前記管理装置は、前記収納容器ＩＤと、前記紙幣収納容器の搬出先となる店舗を示す店舗ＩＤ及び／又は前記紙幣収納容器に収納された紙幣が利用される装置を示す装置ＩＤとを関連付けて管理することを特徴とする請求項８に記載の紙幣管理システム。
【請求項１１】
前記搬出先情報は前記紙幣収納容器の搬出先となる店舗を示す店舗ＩＤ及び／又は前記紙幣収納容器に収納された紙幣が利用される装置を示す装置ＩＤであることを特徴とする請求項９に記載の紙幣管理システム。
【請求項１２】
前記管理情報を示す情報を印刷した結束帯により、前記複数紙幣を結束して結束紙幣を作成する紙幣処理装置をさらに備えることを特徴とする請求項５〜１１のいずれか１項に記載の紙幣管理システム。
【請求項１３】
前記紙幣処理装置は、前記紙幣処理装置から投出された前記結束紙幣の上面に位置するように、前記結束帯上に、前記管理情報を示す情報を印刷することを特徴とする請求項１２に記載の紙幣管理システム。
【請求項１４】
前記紙幣処理装置は、前記結束紙幣の最上面で記番号を視認可能な紙幣の記番号を、前記結束帯上に印刷することを特徴とする請求項１２又は１３に記載の紙幣管理システム。
【請求項１５】
前記管理情報を示す情報とはバーコードであり、前記読取装置はバーコードリーダであることを特徴とする請求項１２〜１４のいずれか１項に記載の紙幣管理システム。
【請求項１６】
前記複数紙幣を抜き取り可能に集積する集積部を有する紙幣処理装置をさらに備えることを特徴とする請求項５〜１１のいずれか１項に記載の紙幣管理システム。
【請求項１７】
前記紙幣処理装置と通信可能に接続され、前記管理情報を示す情報を印刷した管理票を出力するプリンタをさらに備えることを特徴とする請求項１６に記載の紙幣管理システム。
【請求項１８】
前記紙幣処理装置は、前記集積部に集積された紙幣の抜き取りを検知した際に、前記プリンタから前記管理票を出力することを特徴とする請求項１７に記載の紙幣管理システム。
【請求項１９】
前記紙幣処理装置は、前記集積部に集積された紙幣のうち、最も上位に位置する紙幣の記番号を前記管理票に印刷することを特徴とする請求項１７又は１８に記載の紙幣管理システム。
【請求項２０】
前記管理情報を示す情報とはバーコードであり、前記読取装置はバーコードリーダであることを特徴とする請求項１７〜１９のいずれか１項に記載の紙幣管理システム。
【請求項２１】
複数紙幣の記番号を管理コードに関連付けて記憶する記憶工程と、
前記複数紙幣に付された前記管理コードと前記複数紙幣を収納する紙幣収納容器に付された収納容器ＩＤとを読み取る読取工程と、
前記読取部によって読み取られた前記管理コードと前記収納容器ＩＤとを関連付けて管理する紙幣情報管理工程と
を含んだことを特徴とする紙幣管理方法。
【請求項２２】
複数紙幣の記番号を読み取ることにより管理情報を作成する管理情報作成工程と、
前記複数紙幣に付された管理情報と、前記複数紙幣を収納する紙幣収納容器の収納容器情報とを読み取る読取工程と、
前記読取工程で読み取った前記管理情報及び前記収納容器情報とに基づいて、前記紙幣収納容器に収納する全ての紙幣の記番号を管理する管理工程と
を含んだことを特徴とする紙幣管理方法。
【発明の詳細な説明】
【技術分野】
【０００１】
この発明は、大量の紙幣を管理するための紙幣管理システム及び紙幣管理方法に関し、特に、記番号を利用して紙幣を管理する紙幣管理システム及び紙幣管理方法に関する。
【背景技術】
【０００２】
従来、商品やサービスを提供する店舗、銀行の支店、ＡＴＭ（現金自動預払機）等で必要とされる紙幣は、銀行の本店又は現金センターから運び込まれている。例えば、ＡＴＭで、取引に必要な紙幣が不足した場合には、ＡＴＭの管理を委託された警送会社が、銀行本店で管理される紙幣又は現金センターと呼ばれる拠点で管理される紙幣を、ＡＴＭに運んで補充する。紙幣の運搬や補充作業を行う際にはセキュリティを確保することが求められるため、紙幣に印刷された記番号等を利用して各紙幣が厳正に管理されている。
【０００３】
例えば、特許文献１には、銀行本店からＡＴＭへ補充する紙幣を、記番号を利用して管理する方法が開示されている。具体的には、出納責任者が、ＡＴＭ補充用の紙幣を読取機にセットして紙幣の記番号を読み取らせると共に、補充先のＡＴＭに関するデータ及び補充先のＡＴＭへ紙幣を運搬する業者に関する情報等を別の装置に入力する。そして、読み取らせた紙幣記番号と入力した情報とを関連付けたデータセットを作成する。こうして作成されたデータセットを利用して、補充紙幣の記番号と実際にＡＴＭに補充された紙幣の記番号とを比較することにより、補充紙幣に係るセキュリティを確保することができる。
【先行技術文献】
【特許文献】
【０００４】
【特許文献１】特開２０１０−１５７１７９号公報
【発明の概要】
【発明が解決しようとする課題】
【０００５】
しかしながら、上記従来技術では、データの作成に時間と手間がかかる上に作成したデータの信頼性に問題があった。具体的には、出納責任者は、紙幣の補充先となる支店及びＡＴＭを特定する情報、紙幣を運搬する運搬業者を特定する情報、紙幣を運搬する時刻、これらに関するコード等、非常に多くのデータを入力する必要がある。このため、データ入力に時間と手間を要し、入力ミス等の問題を生ずる可能性があった。補充対象となるＡＴＭの数が増えると、時間や手間、入力ミスに関する問題はさらに大きくなる。
【０００６】
また、銀行本店や現金センターでは、支店やＡＴＭから回収された大量の紙幣を紙幣処理機によって識別計数する。そして、市場で再利用可能な紙幣を金庫室に保管しておいて、ＡＴＭへの補充紙幣や支店の運用金として利用する。上記従来技術によれば、識別計数済みの紙幣を利用してＡＴＭへ補充する場合に、この紙幣を再度装置に投入して記番号を読み取る必要がある。例えば、１台のＡＴＭへ補充する紙幣の数は数百枚から千枚単位となるため、紙幣の記番号を読み取る処理には手間と時間がかかる。同様に、支店での運用金として準備する紙幣の数も大量である。通常、銀行本店や現金センターは多くのＡＴＭや支店で取り扱う紙幣を管理しているため、全てのＡＴＭや支店へ向けて搬出する紙幣を準備する作業は非常に手間と時間のかかる作業となる。
【０００７】
本発明は、上記従来技術の課題を解消するためになされたもので、記番号を利用して大量の紙幣を容易に管理することができる紙幣管理システム及び紙幣管理方法を提供することを目的とする。
【課題を解決するための手段】
【０００８】
上述した課題を解決し、目的を達成するため、本発明は、紙幣管理システムであって、複数紙幣の記番号を管理コードに関連付けて記憶する記憶部と、前記複数紙幣に付された前記管理コードと前記複数紙幣を収納する紙幣収納容器に付された収納容器ＩＤとを読み取る読取部と、前記読取部によって読み取られた前記管理コードと前記収納容器ＩＤとを関連付けて管理する紙幣情報管理部とを備えることを特徴とする。
【０００９】
また、本発明は、紙幣管理システムであって、複数紙幣の記番号を管理コードに関連付けて記憶する記憶部と、前記複数紙幣に付された前記管理コードと前記複数紙幣を収納する紙幣収納容器に付された搬出先情報とを読み取る読取部と、前記読取部によって読み取られた前記管理コードと前記搬出先情報とを関連付けて管理する紙幣情報管理部とを備えることを特徴とする。
【００１０】
また、本発明は、紙幣管理システムであって、複数紙幣の記番号を記録した情報記録担体と、前記複数紙幣に付された前記情報記録担体に記録された前記記番号と前記複数紙幣を収納する紙幣収納容器に付された収納容器ＩＤとを読み取る読取部と、前記読取部によって読み取られた前記記番号と前記収納容器ＩＤとを関連付けて管理する紙幣情報管理部とを備えることを特徴とする。
【００１１】
また、本発明は、紙幣管理システムであって、複数紙幣の記番号を記録した情報記録担体と、前記複数紙幣に付された前記情報記録担体に記録された前記記番号と前記複数紙幣を収納する紙幣収納容器に付された搬出先情報とを読み取る読取部と、前記読取部によって読み取られた前記記番号と前記搬出先情報とを関連付けて管理する紙幣情報管理部とを備えることを特徴とする。
【００１２】
また、本発明は、紙幣管理システムであって、複数紙幣に付された管理情報であり前記複数紙幣の記番号を読み取ることにより作成された管理情報と、前記複数紙幣を収納する紙幣収納容器の収納容器情報とを読み取る読取装置と、前記読取装置によって読み取られた前記管理情報及び前記収納容器情報に基づいて、前記紙幣収納容器に収納された全ての紙幣の記番号を管理する管理装置とを備えることを特徴とする。
【００１３】
また、本発明は、上記発明において、前記管理情報は前記複数紙幣の記番号と関連付けられた管理コードであり、前記管理装置は、前記管理コードと前記収納容器情報とを関連付けて管理することを特徴とする。
【００１４】
また、本発明は、上記発明において、前記管理情報は前記複数紙幣の記番号であり、前記管理装置は、前記記番号と前記収納容器情報とを関連付けて管理することを特徴とする。
【００１５】
また、本発明は、上記発明において、前記収納容器情報は前記紙幣収納容器を識別するための収納容器ＩＤであって、前記管理装置は、前記管理情報と前記収納容器ＩＤとを関連付けて管理することを特徴とする。
【００１６】
また、本発明は、上記発明において、前記収納容器情報は前記紙幣収納容器の搬出先情報であって、前記管理装置は、前記管理情報と前記搬出先情報とを関連付けて管理することを特徴とする。
【００１７】
また、本発明は、上記発明において、前記管理装置は、前記収納容器ＩＤと、前記紙幣収納容器の搬出先となる店舗を示す店舗ＩＤ及び／又は前記紙幣収納容器に収納された紙幣が利用される装置を示す装置ＩＤとを関連付けて管理することを特徴とする。
【００１８】
また、本発明は、上記発明において、前記搬出先情報は前記紙幣収納容器の搬出先となる店舗を示す店舗ＩＤ及び／又は前記紙幣収納容器に収納された紙幣が利用される装置を示す装置ＩＤであることを特徴とする。
【００１９】
また、本発明は、上記発明において、前記管理情報を示す情報を印刷した結束帯により、前記複数紙幣を結束して結束紙幣を作成する紙幣処理装置をさらに備えることを特徴とする。
【００２０】
また、本発明は、上記発明において、前記紙幣処理装置は、前記紙幣処理装置から投出された前記結束紙幣の上面に位置するように、前記結束帯上に、前記管理情報を示す情報を印刷することを特徴とする。
【００２１】
また、本発明は、上記発明において、前記紙幣処理装置は、前記結束紙幣の最上面で記番号を視認可能な紙幣の記番号を、前記結束帯上に印刷することを特徴とする。
【００２２】
また、本発明は、上記発明において、前記複数紙幣を抜き取り可能に集積する集積部を有する紙幣処理装置をさらに備えることを特徴とする。
【００２３】
また、本発明は、上記発明において、前記紙幣処理装置と通信可能に接続され、前記管理情報を示す情報を印刷した管理票を出力するプリンタをさらに備えることを特徴とする。
【００２４】
また、本発明は、上記発明において、前記紙幣処理装置は、前記集積部に集積された紙幣の抜き取りを検知した際に、前記プリンタから前記管理票を出力することを特徴とする。
【００２５】
また、本発明は、上記発明において、前記紙幣処理装置は、前記集積部に集積された紙幣のうち、最も上位に位置する紙幣の記番号を前記管理票に印刷することを特徴とする。
【００２６】
また、本発明は、上記発明において、前記管理情報を示す情報とはバーコードであり、前記読取装置はバーコードリーダであることを特徴とする。
【００２７】
また、本発明は、紙幣管理方法であって、複数紙幣の記番号を管理コードに関連付けて記憶する記憶工程と、前記複数紙幣に付された前記管理コードと前記複数紙幣を収納する紙幣収納容器に付された収納容器ＩＤとを読み取る読取工程と、前記読取部によって読み取られた前記管理コードと前記収納容器ＩＤとを関連付けて管理する紙幣情報管理工程とを含んだことを特徴とする。
【００２８】
また、本発明は、紙幣管理方法であって、複数紙幣の記番号を読み取ることにより管理情報を作成する管理情報作成工程と、前記複数紙幣に付された管理情報と、前記複数紙幣を収納する紙幣収納容器の収納容器情報とを読み取る読取工程と、前記読取工程で読み取った前記管理情報及び前記収納容器情報とに基づいて、前記紙幣収納容器に収納する全ての紙幣の記番号を管理する管理工程とを含んだことを特徴とする。
【発明の効果】
【００２９】
本発明によれば、銀行本店や現金センターに運び込まれた紙幣の入金処理を行う段階で各紙幣の記番号を読み取って作成した管理情報である管理コードによって管理し、管理中の紙幣を搬出する際には、紙幣の記番号を管理コードに基づいて特定することができるので、再度、紙幣の記番号を読み取る必要がない。
【００３０】
また、本発明によれば、一括管理中の紙幣の記番号及び管理コード、この紙幣の搬出に利用する紙幣収納袋や紙幣収納カセット等の紙幣収納容器を識別する収納容器ＩＤ、この紙幣収納容器の搬出先となる店舗の店舗ＩＤ、紙幣収納容器に収納して搬出した紙幣を利用するＡＴＭ等の装置の装置ＩＤ等を関連付けて管理することにより、店舗やＡＴＭ等で利用される紙幣の記番号を特定することができる。
【００３１】
また、本発明によれば、一括管理中の紙幣にバーコード等の形で付された管理情報と、紙幣収納容器にバーコードの形で付された収納容器情報とを、読取装置として利用するバーコードリーダによって読み取ることができるので、入力ミスを生ずることがない。
【図面の簡単な説明】
【００３２】
【図１】図１は、本実施形態に係る紙幣管理システムの構成及び動作を説明する模式図である。
【図２】図２は、紙幣管理システムを構成する各装置の構成概略を示すブロック図である。
【図３】図３は、紙幣を結束する結束帯への情報の印刷方法を説明する図である。
【図４】図４は、管理票に印刷する情報の内容を説明する図である。
【図５】図５は、紙幣管理システムで管理されるデータについて説明する図である。
【図６】図６は、紙幣管理システムで紙幣の管理を開始するまでの処理を説明するフローチャートである。
【図７】図７は、紙幣管理システムで紙幣の搬出準備を行う際の処理を説明するフローチャートである。
【発明を実施するための形態】
【００３３】
以下に、添付図面を参照して、本発明に係る紙幣管理システム及び紙幣管理方法の好適な実施形態を詳細に説明する。紙幣管理システムは、例えば、銀行本店や現金センター等に設置して利用される。銀行本店や現金センターには、例えば、一日の営業が終了した後に、銀行の支店や商業施設から回収した貨幣が運び込まれる。そして、翌日の営業開始前に、営業に必要な運用金が、銀行本店又は現金センターから支店や商業施設に運び込まれる。また、ＡＴＭについても、同様に、ＡＴＭから回収された貨幣が銀行本店又は現金センターに運び込まれ、銀行本店又は現金センターから運び出された貨幣がＡＴＭに補充される。本実施形態に係る紙幣管理システムは銀行本店や現金センターで紙幣を管理するものであるが、以下では、銀行本店で利用される場合を例に説明する。
【００３４】
図１は、銀行本店１内に設置された紙幣管理システムによって行う紙幣管理方法を説明する模式図である。紙幣管理システムは、紙幣処理装置１０と、紙幣処理装置１０に接続された操作端末１７と、操作端末１７に接続されたプリンタ２０と、銀行本店１から運び出される紙幣を準備するための搬出準備端末４０と、操作端末１７及び搬出準備端末４０と接続された管理サーバ３０とによって構成される。
【００３５】
まず、銀行本店１に紙幣１００が運び込まれると、銀行本店１での管理を開始するために、この紙幣１００を紙幣処理装置１０に投入して、金種等を確認する入金処理が行われる。紙幣処理装置１０は、投入された各紙幣１００の金種、真偽及び正損を識別して計数する処理と、各紙幣１００の記番号を文字認識して読み取る記番号認識処理とを行った後、識別結果に基づいて、各紙幣１００を対応する集積部に集積する。紙幣処理装置１０で得られた識別結果及び記番号は、操作端末１７内で、集積部別に管理される。なお、紙幣の識別処理及び記番号認識処理については従来技術を利用することができるため詳細な処理内容の説明は省略する。
【００３６】
紙幣処理装置１０では、予め結束対象として指定された種類の紙幣１００が、結束対象紙幣として、結束対象紙幣集積部に集積される。そして、結束対象紙幣集積部の集積枚数が所定枚数、例えば１００枚に達すると、これを結束帯２０２によって結束した結束紙幣１０２が作成されて、装置外へ投出される。投出される結束紙幣１０２の結束帯２０２には、管理コードと呼ばれる管理情報を示すバーコードが印刷されている。
【００３７】
管理コードは、結束紙幣１０２に含まれる１００枚の紙幣の記番号を特定するための情報で、操作端末１７上で作成される。操作端末１７は、結束紙幣１０２が作成される度に管理コードを作成して、この結束紙幣１０２に含まれる１００枚の結束対象紙幣の記番号を管理コードと関連付けた状態で管理サーバ３０に送信する。
【００３８】
また、紙幣処理装置１０に投入された全ての紙幣１００の識別計数処理が完了した後、結束対象紙幣集積部に、結束されずに残った紙幣、すなわち１００枚に達することなく集積されたままの端数紙幣があれば、この紙幣は装置外へ投出される。操作端末１７は、端数紙幣を一括管理するための管理コードを作成して、プリンタ２０から、管理コードを示すバーコードが印刷された管理票２０１を出力する。管理コードは、装置外へ投出される全ての紙幣の記番号を関連付けて管理するための管理情報で、端数紙幣のように結束されないバラ紙幣１０１の場合も、結束紙幣１０２の場合と同様に、一括管理される紙幣の記番号が管理コードと関連付けた状態で操作端末１７から管理サーバ３０へ送信される。紙幣処理装置１０の操作員は、ゴムでまとめたり袋等の容器に入れたりして、管理票２０１を付したバラ紙幣１０１を一括管理する。
【００３９】
また、紙幣処理装置１０が、結束しない種類の紙幣である結束対象外紙幣をバラ状態で集積するために、操作員が内部に集積された紙幣を抜き取ることができるオープンタイプの集積部を有していてもよい。このような装置では、オープンタイプの集積部に集積された紙幣が所定枚数、例えば１００枚に達する度に、操作員が、順次、集積された紙幣を抜き取るバッチ処理が行われることが多い。また、集積された紙幣により集積部が満杯状態になったときに、操作員が紙幣を抜き取る場合もある。操作端末１７は、オープンタイプの集積部に設けられた抜取検知センサにより、紙幣が抜き取られたことを検知すると、抜き取られた紙幣を一括管理するための管理コードを作成して、プリンタ２０から、この管理コードを示すバーコードを印刷した管理票２０１を出力する。また、操作端末１７は、抜き取られた紙幣の記番号を、作成した管理コードと関連付けた状態で管理サーバ３０へ送信する。オープンタイプの集積部が複数ある場合には、操作員は、順次、各集積部内に集積された紙幣を抜き出して、このバラ紙幣１０１に、プリンタ２０から出力された管理票２０１を付す作業を繰り返す。これにより、それぞれの集積部に集積された紙幣が、管理票２０１を付した状態で一括管理される。
【００４０】
なお、操作端末１７から、管理サーバ３０へデータを送信する際には、データと共に、紙幣処理装置１０を識別可能な計数装置ＩＤが送信される。計数装置ＩＤとは、例えば、機種名と製造番号とを組み合わせた情報である。これにより、管理サーバ３０では、管理コードで関連付けられた記番号の紙幣が、銀行本店１内のどの紙幣処理装置１０によって処理されたものであるかを特定できるようになっている。
【００４１】
こうして、銀行本店１に持ち込まれて紙幣処理装置１０に投入された紙幣１００は、バーコードが印刷された結束帯２０２で結束された結束紙幣１０２と、バーコードが印刷された管理票２０１を付して一括管理されるバラ紙幣１０１とに分類される。結束紙幣１０２及びバラ紙幣１０１は、金庫や金庫室等、所定の現金保管庫２内に収納して管理される。
【００４２】
管理サーバ３０内では、結束紙幣１０２に含まれる全ての紙幣の記番号が、結束帯２０２にバーコードで示された管理コードと関連付けた状態で管理される。また、バラ紙幣１０１に含まれる全ての紙幣の記番号が、管理票２０１にバーコードで示された管理コードと関連付けた状態で管理される。すなわち、管理サーバ３０では、現金保管庫２内の全ての紙幣の記番号が管理コードによって管理される。なお、管理サーバ３０には、識別結果や集積部に関する情報も送信されるので、管理サーバ３０では、一括管理されるバラ紙幣１０１及び結束紙幣１０２に含まれる紙幣の金種、枚数、金額、正損等の情報も管理される。
【００４３】
また、管理サーバ３０では、銀行本店１から、銀行の各支店７０やＡＴＭ８０へ向けて搬出する紙幣の金種や枚数に関する情報が管理されている。例えば、ＡＴＭ８０に補充すべき紙幣に関する情報や運用金として支店７０へ運び込む紙幣に関する情報が、図示しない入力装置によって管理サーバ３０へ入力できるようになっている。また、例えば、管理サーバ３０は、銀行本店１の外にあるＡＴＭ８０と通信可能に接続されており、ＡＴＭ８０に収納された紙幣が所定枚数以下になると、補充を要求する信号がＡＴＭ８０から管理サーバ３０へ送信されるようになっている。管理サーバ３０では、こうして入力された情報や受信した情報に基づいて、支店７０及びＡＴＭ８０を特定する情報と、各支店７０及び各ＡＴＭ８０に搬出すべき紙幣の金種及び枚数が管理される。
【００４４】
銀行本店１から支店７０及びＡＴＭ８０へ搬出する紙幣の準備は、搬出準備端末４０を利用して行われる。操作員が搬出準備端末４０を操作して搬出準備作業を開始すると、搬出準備端末４０と管理サーバ３０との間で通信が開始されて、搬出準備端末４０上に、操作員が行うべき操作が順次表示される。
【００４５】
具体的には、紙幣を収納して搬出するための紙幣収納容器に付された収納容器ＩＤ等の収納容器情報を読み取るように指示する情報が搬出準備端末４０上に表示される。例えば、支店７０でテラー等が利用する紙幣を準備する場合は、紙幣収納袋５０に付された管理タグ５１のバーコードを読み取るよう指示する情報が搬出準備端末４０上に表示される。操作員は、この指示に従って、搬出準備端末４０に接続されたバーコードリーダ４１を使って、麻袋等の紙幣収納袋５０に付された管理タグ５１からバーコードを読み取る。管理タグ５１のバーコードには、各袋を識別するための識別情報（収納容器情報）であるバッグＩＤが含まれている。バーコードによりバッグＩＤが入力されると、続いて、この紙幣収納袋５０に収納すべきバラ紙幣１０１及び結束紙幣１０２の種類と枚数を指定する情報と、紙幣収納袋５０に収納するバラ紙幣１０１及び結束紙幣１０２のバーコードを読み取るよう指示する情報とが、搬出準備端末４０上に表示される。操作員は、これらの情報に従って、現金保管庫２から必要なバラ紙幣１０１及び結束紙幣１０２を取り出して、バーコードリーダ４１によって管理票２０１及び結束帯２０２のバーコードを読み取った後、紙幣収納袋５０に収納する。紙幣収納袋５０では、バラ紙幣１０１は管理票２０１が付された状態のままで収納され、結束紙幣１０２は結束帯２０２で結束された状態のままで収納される。なお、紙幣収納袋５０に収納すべき紙幣の種類は、例えば、紙幣の金種と正損種別とによって指定される。
【００４６】
同様に、ＡＴＭ８０で利用する紙幣を準備する場合は、紙幣収納カセット６０に付された管理タグ６１のバーコードを読み取るよう指示する情報が搬出準備端末４０上に表示される。
【００４７】
なお、紙幣収納カセット６０は、ＡＴＭ８０に脱着可能なカセットである。例えば、あるＡＴＭから紙幣を回収するために、紙幣を収納した状態で紙幣収納カセットが銀行本店１に運び込まれて、内部に収納された紙幣が回収された後、空になった紙幣収納カセット６０が別のＡＴＭ８０に紙幣を補充するために利用される。
【００４８】
操作員は、搬出準備端末４０上に表示された指示に従って、バーコードリーダ４１を使って、紙幣収納カセット６０に付された管理タグ６１からバーコードを読み取る。管理タグ６１のバーコードには、各紙幣収納カセット６０を識別するための識別情報（収納容器情報）であるカセットＩＤが含まれている。続いて、この紙幣収納カセット６０に収納すべき紙幣の種類と枚数を指定する情報と、紙幣収納カセット６０に収納するバラ紙幣及び結束紙幣１０２のバーコードを読み取るよう指示する情報とが搬出準備端末４０上に表示される。操作員は、これらの情報に従って、現金保管庫２から必要なバラ紙幣１０１及び結束紙幣１０２を取り出して、バーコードリーダ４１によって管理票２０１及び結束帯２０２のバーコードを読み取った後、紙幣収納カセット６０に収納する。紙幣収納カセット６０に収納する際には、バラ紙幣１０１から管理票２０１が取り除かれ、結束紙幣１０２から結束帯２０２が取り除かれ、紙幣のみが収納される。なお、紙幣収納カセット６０に収納すべき紙幣の種類は、例えば、紙幣の金種と正損種別とによって指定される。
【００４９】
こうして準備された紙幣収納袋５０は、警送会社によって、銀行本店１から搬出されて銀行支店７０へ運び込まれる。同様に、紙幣収納カセット６０は、警送会社によって、銀行本店１から搬出されてＡＴＭ８０に装着される。
【００５０】
搬出準備端末４０に入力された情報は全て管理サーバ３０へ送信される。管理サーバ３０では、支店７０を識別する情報と、支店７０への紙幣搬出に利用した紙幣収納袋５０を特定するバッグＩＤと、この紙幣収納袋５０に収納されたバラ紙幣１０１及び結束紙幣１０２の管理コードとを関連付けて管理する。同様に、ＡＴＭ８０を識別情報と、ＡＴＭ８０への紙幣搬出に利用した紙幣収納カセット６０を特定するカセットＩＤと、この紙幣収納カセット６０に収納されたバラ紙幣１０１及び結束紙幣１０２の管理コードとを関連付けて管理する。
【００５１】
このように、紙幣管理システムでは、銀行本店１に持ち込まれた紙幣１００から作成した結束紙幣１０２及びバラ紙幣１０１で一括管理される各紙幣の記番号を、管理コードによって管理することができる。具体的には、結束紙幣１０２に含まれる各紙幣の記番号、この記番号を読み取った装置の計数装置ＩＤ及び管理コードを関連付けて管理して、一括管理されるバラ紙幣１０１に含まれる各紙幣の記番号、計数装置ＩＤ及び管理コードを関連付けて管理する。
【００５２】
銀行本店１では、持ち込まれた紙幣１００の入金処理を行う際に記番号を含むデータが作成されるので、搬出準備を行う際に、紙幣の金種を再識別したり、記番号を読み取ったりする作業が不要となる。これにより、迅速に搬出準備を行うことができる。また、搬出作業時には、バーコードリーダ４１で、紙幣収納袋５０及び紙幣収納カセット６０に付されたバーコードと、現金保管庫２から取り出したバラ紙幣１０１及び結束紙幣１０２に付されたバーコードとを読み取るだけでよいので、容易に作業を進めることが可能であり、各情報を手入力する場合のように入力ミスを生ずることがない。
【００５３】
また、紙幣管理システムでは、銀行本店１から搬出された各紙幣の記番号、各紙幣が搬出時に収納された紙幣収納袋５０のバッグＩＤ及び紙幣収納カセット６０のカセットＩＤを、搬出先である支店７０やＡＴＭ８０毎に管理することができる。
【００５４】
これにより、例えば、市場で流通する紙幣の記番号から、この紙幣が銀行本店１内で過去に処理された紙幣であるか否かを確認することができる。また、この紙幣がいずれの支店７０やＡＴＭ８０を経て市場に出たものであるかを特定することができる。
【００５５】
また、紙幣収納カセット６０を搬出してＡＴＭ８０に取り付けた際に、紙幣収納カセット６０内の紙幣の記番号を読み取って、管理サーバ３０で管理されるデータと比較すれば、銀行本店１から搬出された紙幣が正しくＡＴＭ８０に補充されたか否かを確認することができる。
【００５６】
また、支店７０内で、例えば店内で利用するテラー機等、各紙幣処理装置に補充するバラ紙幣１０１及び結束紙幣１０２の管理コードを記録しておけば、各紙幣が、支店７０のどの装置で処理されたのかを特定することも可能となる。同様に、各テラーや渉外員等、各人を識別する識別ＩＤと、各人に割り当てられたバラ紙幣１０１及び結束紙幣１０２の管理コードを記録しておけば、各紙幣が誰の手を介して処理されたものであるかを特定することも可能となる。
【００５７】
次に、紙幣管理システムを構成する装置について説明する。図２は、紙幣管理システムを構成する各装置を説明するためのブロック図である。なお、図２では、紙幣管理システムの機能及び動作を説明するための機能部のみを示している。
【００５８】
紙幣処理装置１０は、識別計数処理部１１、記番号読取部１２、結束帯印刷部１３、紙幣結束部１４、端数紙幣投出部１５及び紙幣抜取検知部１６を有しており、紙幣処理装置１０を操作するための操作端末１７と接続されている。また、操作端末１７には、文字、数字、バーコード等を印刷可能なプリンタ２０が接続されている。
【００５９】
識別計数処理部１１は、操作端末１７を操作して入金処理番号が入力され、入金処理が開始されると、入金対象紙幣として紙幣処理装置１０の投入口に投入された複数の紙幣１００を、１枚ずつ装置内部へ繰り出して搬送路に沿って搬送する。そして、識別部により各紙幣の金種、真偽及び正損を識別して金種別の枚数を計数すると共に、識別結果に基づいて対応する集積部に各紙幣を集積する。結束対象として設定された紙幣は結束対象紙幣集積部に集積され、結束対象外として設定された金種の紙幣はオープンタイプの集積部に集積される。識別計数処理部１１によって各紙幣から得られた識別結果、各紙幣が収納された集積部等に関する情報は、操作端末１７へ送信される。なお、識別部によって金種等を識別できない紙幣、偽の紙幣等は、リジェクト部へリジェクトされる。これらの処理は従来技術を利用して行われる処理であるため詳細な説明は省略する。
【００６０】
記番号読取部１２は、紙幣処理装置１０に投入された各紙幣を撮像した紙幣画像を利用して、紙幣に印刷された記番号を文字認識する機能を有する。例えば、識別部による金種識別結果を利用して、紙幣画像から、記番号が含まれる領域の部分領域画像を切り出して文字認識処理が行われる。各紙幣から読み取られた記番号は操作端末１７へ送信される。これらの処理についても従来技術を利用して行われる処理であるため詳細な説明は省略する。
【００６１】
結束帯印刷部１３は、管理コード（管理情報）を示すバーコード等の情報を結束帯に印刷する機能を有する。具体的には、結束対象紙幣集積部に収納された紙幣枚数が、所定枚数（例えば１００枚）に達して結束可能な状態になると、操作端末１７で、これらの紙幣を管理するための管理コードと、この管理コードを示すバーコードが作成されるので、結束帯印刷部１３がこのバーコードを結束帯に印刷する。
【００６２】
また、結束帯印刷部１３は、管理コードを示すバーコードに加えて、紙幣処理装置１０を識別する計数装置ＩＤと、紙幣処理装置１０で何番目に作成されたバラ紙幣１０１又は結束紙幣１０２であるかを示す束ＩＤと、結束紙幣１０２の最上面となる紙幣の記番号のうち、少なくとも一つの情報を印刷する機能を有している。これら、結束帯２０２に印刷される情報についても、操作端末１７上で作成される。
【００６３】
図３は、結束帯印刷部１３による結束帯２０２への印刷方法を説明する図である。図３（ａ）に示したように、結束帯印刷部１３は、結束紙幣１０２が装置外へ投出された際に、結束紙幣１０２の表面側に位置する結束帯２０２上の範囲に合わせて、バーコードや各種情報を印刷する。図３（ａ）の例は、この結束帯２０２で結束される紙幣が、計数装置ＩＤ「１０１」の装置によって処理された束ＩＤ「０００１」の結束紙幣１０２であり、最上面の紙幣の記番号が「ＡＢ１２３４５６Ｃ」であることを示している。
【００６４】
この結束帯２０２で結束された紙幣が紙幣処理装置１０から投出された際には、図３（ｂ）に示すように、結束紙幣１０２の表面上で、結束帯２０２上の全ての印刷内容を確認することができる。結束帯２０２には、管理コードと関連付けて管理される１００個の記番号のうち、結束紙幣１０２で最上面となる紙幣、すなわち投出された結束紙幣１０２を操作員が確認する際に記番号を読む紙幣の記番号１０３が印刷される。結束帯２０２に印刷された記番号と結束紙幣１０２の最上面にある記番号１０３とを比較することにより、結束帯２０２に、結束紙幣１０２の管理コードを示すバーコードが間違いなく印刷されていることを確認することができる。
【００６５】
図２に示す紙幣結束部１４は、結束対象紙幣集積部に集積された紙幣を、結束帯印刷部１３によってバーコード等が印刷された結束帯２０２を利用して結束する機能を有する。紙幣結束部１４によって結束された結束紙幣１０２は、紙幣処理装置１０の投出口から装置外へ投出される。
【００６６】
端数紙幣投出部１５は、投入口に投入された全ての紙幣１００が識別計数処理部１１によって対応する集積部へ集積された後、結束対象紙幣集積部に、結束されずに残っている端数紙幣を装置外へ投出する機能を有する。
【００６７】
具体的には、紙幣処理装置１０の各集積部に集積された紙幣の識別結果、記番号、集積枚数等を管理する操作端末１７が、結束対象紙幣集積部に、所定枚数に達しなかったために結束されずに残った端数紙幣があることを認識すると、この端数紙幣の記番号を管理する管理コードと、この管理コードを示すバーコードとを作成する。続いて、操作端末１７は、このバーコードを含む管理票２０１の印刷を指示する信号をプリンタ２０に送信すると共に、結束対象紙幣集積部の端数紙幣投出を指示する信号を端数紙幣投出部１５へ送信する。この結果、紙幣処理装置１０から装置外部へ端数紙幣が投出され、プリンタ２０から管理票２０１が出力されるので、操作員は、投出された端数紙幣に管理票２０１を付して一括管理する。なお、管理票２０１についても、結束帯２０２の場合と同様に、その表面又は裏面に、管理コードを示すバーコードに加えて、計数装置ＩＤ、束ＩＤ及び最上面となる紙幣の記番号のうち、少なくとも１つの情報を印刷することができる。
【００６８】
図４は、プリンタ２０による管理票２０１への印刷内容の例を示す図である。この例では、端数紙幣投出部１５によって装置外へ投出される紙幣が、計数装置ＩＤ「１０１」の装置によって処理された束ＩＤ「０００２」のバラ紙幣１０１で、最上面となる紙幣の記番号が「ＡＢ９８７６５４Ｃ」であることを示している。バラ紙幣１０１の場合も、結束紙幣１０２の場合と同様に、投出されたバラ紙幣１０１の一番上にある紙幣の記番号と管理票２０１に印刷された記番号とを比較することにより、管理票２０１に、バラ紙幣１０１の管理コードを示すバーコードが間違いなく印刷されていることを確認することができる。
【００６９】
なお、紙幣処理装置１０では、結束されることなく結束対象紙幣集積部に残された端数紙幣にも管理コードを割り当てて管理するため、端数紙幣を結束して管理することもできる。具体的には、結束紙幣１０２の場合と同様に、１００枚に満たない端数紙幣を、管理コードを示すバーコードを印刷した結束帯２０２で結束して投出することができる。結束対象紙幣集積部に残された紙幣を、バラ紙幣の状態で端数紙幣投出部１５により装置外へ投出するか、紙幣結束部１４によって結束するかについては、事前に設定できるようになっている。
【００７０】
図２に示す紙幣抜取検知部１６は、オープンタイプの集積部の内部に設けられた投受光部等から成る抜取検知センサにより、集積部内に集積された紙幣の抜き取り作業を検知する機能を有する。紙幣抜取検知部１６は、オープンタイプの集積部が複数ある場合には、複数の集積部の中から紙幣が抜き取られた集積部を特定する機能も有している。
【００７１】
操作端末１７では、オープンタイプの各集積部についても、結束対象紙幣集積部と同様に、集積された紙幣の識別結果、記番号及び集積枚数を管理している。操作端末１７は、紙幣抜取検知部１６によってオープンタイプの集積部から紙幣が抜き取られたことを検知すると、この集積部に集積されていた紙幣の記番号を管理する管理コードと、この管理コードを示すバーコードとを作成する。そして、このバーコードを含む管理票２０１の印刷を指示する信号をプリンタ２０に送信する。操作員は、抜き取ったバラ紙幣１０１に、プリンタ２０から出力された管理票２０１を付して管理する。操作員は、投出されたバラ紙幣１０１の一番上にある紙幣の記番号と管理票２０１に印刷された記番号とを比較することにより、管理票２０１に、バラ紙幣１０１の管理コードを示すバーコードが間違いなく印刷されていることを確認することができる。
【００７２】
オープンタイプの集積部に所定枚数、たとえば１００枚の紙幣が集積されると新たな紙幣の集積を停止し、集積された１００枚の紙幣が抜き取られると新たな紙幣の集積を再開する、いわゆるバッチ処理を行うことがある。このような場合は、オープンタイプの集積部に所定枚数の紙幣が集積されたタイミングで、この集積部に集積された紙幣の記番号を管理する管理コードと、この管理コードを示すバーコードとを作成するようにしてもよい。
【００７３】
操作端末１７はコンピュータ装置から成る端末で、管理サーバ３０に接続されている。上述したように、各紙幣の識別結果、各紙幣の集積先に関する情報、各紙幣の記番号、紙幣抜取検知部１６による紙幣の抜取検知信号等を受信する機能を有する。また、結束対象紙幣集積部に集積された紙幣の集積枚数が１００枚に達したタイミング、結束対象紙幣集積部に残った端数紙幣を装置外へ投出するタイミング、オープンタイプの集積部からの紙幣抜き取りを検知したタイミング、オープンタイプの集積部に所定枚数の紙幣が集積されたタイミング等、所定のタイミングで、各集積部に集積されていた紙幣を管理するための管理コードと、この管理コードを示すバーコードとを作成する機能を有する。また、操作端末１７は、紙幣１００の入金処理番号、紙幣１００の識別結果、管理コード、管理コードに関連付けて一括管理される複数紙幣の記番号等を管理サーバ３０に送信する。
【００７４】
管理サーバ３０はコンピュータ装置から成る端末で、操作端末１７及び搬出準備端末４０と接続されている。管理サーバ３０は、紙幣情報管理部３１及び記憶部３２を有し、紙幣管理システム内で必要とされる各種データを管理する機能を有する。
【００７５】
紙幣情報管理部３１は、操作端末１７及び搬出準備端末４０から受信した情報を管理すると共に、銀行本店１から搬出する紙幣の準備に必要な情報を搬出準備端末４０との間で送受信する機能を有している。
【００７６】
記憶部３２は、不揮発性のメモリやハードディスク等から構成され、内部には、記番号管理データ３２Ａ、搬出先管理データ３２Ｂ及び紙幣管理データ３２Ｃが保存されている。図５は、記憶部３２内で管理される各データの例を示す図である。
【００７７】
図５（ａ）に示す記番号管理データ３２Ａは、操作端末１７から受信した管理コード及び記番号を含むデータである。記番号管理データ３２Ａには、管理コードと、この管理コードが作成された作成日時と、この管理コードで管理される紙幣が入金された入金処理番号と、入金された紙幣が処理された紙幣処理装置１０を示す計数装置ＩＤと、紙幣処理装置１０で作成された結束紙幣１０２及び一括管理されるバラ紙幣１０１に連続番号を割り当てた束ＩＤと、紙幣の合計金額を算出可能な金種及び枚数等を含む金額情報と、管理コードで一括管理される複数紙幣の記番号とが含まれる。なお、図５（ａ）の例では、「金額」の欄に、金種情報のみを示しているが、管理する情報の中に、正損等の情報を含めることもできる。
【００７８】
図５（ａ）上段に示すデータは、計数装置ＩＤ「１０１」の装置で行われた入金処理番号「００１」の入金処理で投入された紙幣から、束ＩＤ「０００１」の一万円札１００枚から成る結束紙幣１０２が作成され、この結束紙幣１０２に含まれる紙幣の記番号が「ＡＢ１２３４５６Ｃ」等であることを示している。これらの情報から、図３（ａ）に示す結束帯２０２により同図（ｂ）に示す結束紙幣１０２が作成される。
【００７９】
図５（ａ）下段に示すデータは、同じ入金処理で投入された紙幣から、１００枚に達することなく結束対象集積部に残った端数紙幣、３８枚の一万円札が束ＩＤ「０００２」のバラ紙幣１０１として一括管理され、バラ紙幣１０１に含まれる紙幣の記番号が「ＡＢ９８７６５４Ｃ」等であることを示している。これらの情報から図４に示す管理票２０１が印刷される。
【００８０】
なお、管理コードは、銀行本店１にある複数の紙幣処理装置１０で作成される結束紙幣１０２及びバラ紙幣１０１の全てを区別できるように作成される。例えば、図５（ａ）に示すように、作成日時を示す数字と、計数装置ＩＤと、束ＩＤとを結合して管理コードが作成される。
【００８１】
図５（ｂ）に示す搬出先管理データ３２Ｂは、銀行本店１から紙幣を搬出して運用金として運び込む支店７０、銀行本店１から紙幣を搬出して補充するＡＴＭ８０等、銀行本店１からの紙幣搬出先に関する情報を管理するデータである。搬出先管理データ３２Ｂには、支店７０に割り当てられた識別番号である店舗ＩＤと、搬出準備を行う準備日時と、紙幣を補充するＡＴＭ８０等の装置を識別する搬出先装置ＩＤと、紙幣を搬出する際の搬出形態と、搬出する紙幣の金種及び枚数を含む紙幣情報とが含まれる。搬出形態は、紙幣を搬出する際に利用する紙幣収納容器を指定する情報で、例えば、紙幣収納袋５０を利用する場合は「０１」、紙幣収納カセット６０を利用する場合は「０２」が入力される。
【００８２】
搬出先装置ＩＤは、搬出する紙幣が、ＡＴＭ、両替機等、特定の紙幣処理装置で利用されることが決まっている場合に、各装置を識別する識別情報を入力するものである。例えば、装置の名称や機種名と製造番号とを組み合わせた情報を搬出先装置ＩＤとして利用することにより、装置を特定することができる。なお、紙幣が、特定の装置で利用されることが決まっておらず運用金として店舗に運び込まれるものである場合は、搬出先装置ＩＤには「０」が入力される。
【００８３】
図５（ｂ）上段に示すデータは、準備日時として示された日時に、２０００枚の一万円札及び５００枚の五千円札等、紙幣情報として示した紙幣を紙幣収納袋５０に収納して、店舗ＩＤ「Ａ００１」の支店７０に向けて搬出する必要があることを示している。また、図５（ｂ）下段のデータは、準備日時として示された日時に、１５００枚の一万円札を紙幣収納カセット６０に収納して、店舗ＩＤ「Ａ００１」の支店７０に設置された搬出先装置ＩＤ「ＡＴＭ０００１」のＡＴＭ８０に補充するために搬出する必要があることを示している。
【００８４】
図５（ｃ）に示す紙幣管理データ３２Ｃは、紙幣収納袋５０及び紙幣収納カセット６０に収納された紙幣を管理するデータである。紙幣管理データ３２Ｃには、紙幣の搬出先となる店舗ＩＤと、搬出する紙幣を実際に準備した準備日時と、紙幣が利用される装置を示す搬出先装置ＩＤと、紙幣搬出に利用した紙幣収納袋５０及び紙幣収納カセット６０を特定する搬出容器ＩＤと、紙幣収納袋５０及び紙幣収納カセット６０に収納された紙幣を管理する管理コードとが含まれる。店舗ＩＤ及び搬出先装置ＩＤは、図５（ｂ）に対応する情報である。
【００８５】
図５（ｂ）に示した搬出先管理データ３２Ｂに従って、紙幣の搬出準備を進める際には、搬出形態として指定された紙幣収納袋５０又は紙幣収納カセット６０に付された管理タグ５１、６１のバーコードにより、バッグＩＤ又はカセットＩＤが搬出準備端末４０に入力される。図５（ｃ）の搬出容器ＩＤは、こうして搬出準備端末４０に入力されたバッグＩＤ及びカセットＩＤを示している。また、搬出準備端末４０には、管理票２０１及び結束帯２０２のバーコードにより、紙幣収納袋５０及び紙幣収納カセット６０に収納されたバラ紙幣１０１及び結束紙幣１０２の管理コードが入力される。図５（ｃ）の管理コードは、紙幣収納袋５０及び紙幣収納カセット６０のそれぞれに収納された全てのバラ紙幣１０１及び結束紙幣１０２の管理コードを示している。
【００８６】
図５（ｃ）上段に示すデータは、同図（ｂ）上段に示した紙幣の搬出準備が、バッグＩＤ「Ｂ００１」の紙幣収納袋５０を利用して行われたことを示している。また、この紙幣収納袋５０に収納された紙幣の管理コードが、管理コードの欄に示されている。また、図５（ｃ）下段に示すデータは、同図（ｂ）下段に示した紙幣の搬出準備が、カセットＩＤ「Ｃ００１」の紙幣収納カセット６０を利用して行われ、この紙幣収納カセット６０に、管理コードの欄に示した管理コードの紙幣が収納されたことを示している。
【００８７】
このように、紙幣管理データ３２Ｃでは、搬出準備に利用した紙幣収納容器を識別するバッグＩＤ及びカセットＩＤと、紙幣記番号を管理する管理コードとが管理される。これにより、記番号管理データ３２Ａを参照して、店舗ＩＤ「Ａ００１」の支店７０に運用金として運び込まれた紙幣の記番号や、ＡＴＭ８０に補充された紙幣の記番号を特定することができる。銀行本店１の現金保管庫２にあるバラ紙幣１０１及び結束紙幣１０２を利用して搬出準備を行うことにより、既に作成済みの記番号管理データ３２Ａを利用することができるので、搬出準備を行う際に紙幣を再識別したり記番号を読み取ったりする必要がなく迅速に作業を行うことができる。また、全てのデータがバーコードを読み取ることにより入力されるので容易に作業を行うことができ入力ミスを生ずることもない。
【００８８】
次に、紙幣管理システムによって行われる紙幣管理方法の処理手順について説明する。図６は銀行本店１に持ち込まれた紙幣１００をバラ紙幣１０１及び結束紙幣１０２として現金保管庫２へ収納するまでの処理手順を示し、図７は現金保管庫２に収納されたバラ紙幣１０１及び結束紙幣１０２を利用して搬出準備を行うまでの処理手順を示している。
【００８９】
図６は、紙幣処理装置１０を中心として行う紙幣処理の処理手順を示すフローチャートである。なお、ここでは、紙幣処理装置１０で、結束対象紙幣用集積部に結束対象紙幣を集積して１００枚の紙幣から成る結束紙幣１０２を作成し、オープンタイプの集積部に１００枚の結束対象外紙幣を収納して抜き出すバッチ処理を行うものとして説明する。図６のステップＳ１２〜Ｓ１５では、結束対象紙幣に係る処理と結束対象外紙幣に係る処理を並列して記載している。
【００９０】
まず、銀行本店１に持ち込まれた紙幣１００を紙幣処理装置１０に投入して入金処理が開始されると、各紙幣を識別計数する処理（ステップＳ１０）と、各紙幣から記番号を読み取る処理（ステップＳ１１）とが行われる。各紙幣は、識別結果に基づいて、対応する集積部に集積されて、識別結果及び記番号は操作端末１７内で集積部毎に管理される。
【００９１】
結束対象紙幣の枚数及び結束対象外紙幣の枚数が共に１００枚に到達せず（ステップＳ１２；Ｎｏ）、識別計数対象となる紙幣１００が残っている間は（ステップＳ１６；Ｎｏ）、各紙幣を識別計数して記番号を読み取りながら対応する集積部へ集積する処理（ステップＳ１０、Ｓ１１）が繰り返される。
【００９２】
結束対象紙幣集積部に集積された結束対象紙幣の枚数が１００枚に達すると（ステップＳ１２；Ｙｅｓ）、操作端末１７では、これら１００枚の紙幣の記番号を関連付けて管理するための管理コードが作成される（ステップＳ１３）。この管理コードを示すバーコード、結束した際に最上面となる紙幣の記番号等の情報が、操作端末１７から紙幣処理装置１０に送信され、結束帯印刷部１３により結束帯２０２上に印刷される（ステップＳ１４）。そして、紙幣結束部１４により、管理コードが印刷された結束帯２０２を利用して結束紙幣１０２が作成されて装置外へ投出される（ステップＳ１５）。
【００９３】
同様に、オープンタイプの集積部に集積された結束対象外紙幣の枚数が１００枚に達すると（ステップＳ１２；Ｙｅｓ）、操作端末１７では、これら１００枚の紙幣の記番号を関連付けて管理するための管理コードが作成される（ステップＳ１３）。この管理コードを示すバーコード、紙幣を抜き取った際に最上面となる紙幣の記番号等の情報が、操作端末１７からプリンタ２０に送信され、管理票２０１が出力される（ステップＳ１４）。操作員は、集積部から１００枚の紙幣を抜き取って（ステップＳ１５）、このバラ紙幣１０１に管理コードが印刷された管理票２０１を付して一括管理する。なお、オープンタイプの集積部で、バッチ処理を行うことなく、満杯状態になった際に紙幣を抜き取る場合でも、同様の処理が行われることになる。
【００９４】
１００枚の結束対象紙幣を結束帯２０２で結束して結束紙幣１０２として管理する状態とした後、又は１００枚の結束対象外紙幣に管理票２０１を付してバラ紙幣１０１として管理する状態とした後、処理対象となる紙幣１００が残っている場合には（ステップＳ１６；Ｎｏ）、各紙幣を識別して記番号を読み取りながら集積する処理がさらに繰り返される。
【００９５】
そして、全ての紙幣１００を識別計数し、記番号を読み取って集積した後（ステップＳ１６；Ｙｅｓ）、結束対象紙幣集積部に、結束されずに残った端数紙幣がある場合には（ステップＳ１７；Ｙｅｓ）、操作端末１７で、端数紙幣の記番号を管理するための管理コードが作成される（ステップ１８）。そして、プリンタ２０により、管理コードを示すバーコード、端数紙幣を投出した際に最上面となる紙幣の記番号等の情報を印刷した管理票２０１が作成され（ステップＳ１９）、端数紙幣投出部１５により、端数紙幣が装置外へ投出される（ステップＳ２０）。操作員は、投出された端数紙幣、すなわちバラ紙幣１０１に管理票２０１を付して一括管理する。紙幣処理装置１０が、結束対象紙幣集積部を複数有する場合には、全ての集積部について、ステップＳ１８〜Ｓ２０の処理が行われる。
【００９６】
次に、操作端末１７により、オープンタイプの集積部内に集積された紙幣の有無が確認される（ステップＳ２１）。例えば、バッチ処理対象の紙幣で１００枚に達しなかった紙幣が残っている場合、結束対象外紙幣かつバッチ処理対象外の紙幣が満杯状態となることなく集積されている場合に、これらの紙幣が、操作端末１７によって認識される。
【００９７】
そして、オープンタイプの集積部に集積された紙幣がある場合は（ステップＳ２１；Ｙｅｓ）、この紙幣を集積部から抜き取るよう促す情報を操作端末１７上に表示して、紙幣が抜き取られるのを待つ（ステップＳ２２；Ｎｏ）。紙幣抜取検知部１６により、集積部からの紙幣の抜き取りが検知されると（ステップＳ２２；Ｙｅｓ）、操作端末１７により、この集積部に集積された紙幣の記番号を管理するための管理コードが作成される（ステップＳ２３）。そして、プリンタ２０により、管理コードを示すバーコード、集積された紙幣を抜き取った際に最上面となる紙幣の記番号等の情報を印刷した管理票２０１が作成される（ステップＳ２４）。操作員は、抜き取った紙幣、すなわちバラ紙幣１０１に管理票２０１を付して一括管理する。なお、紙幣処理装置１０が、オープンタイプの集積部を複数有する場合には、全ての集積部について、ステップＳ２３、Ｓ２４の処理が行われる。
【００９８】
集積された紙幣が無くなると（ステップＳ２１；Ｎｏ）、処理を完了する。バーコードが印刷された結束帯２０２で結束された結束紙幣１０２、バーコードが印刷された管理票２０１が付されたバラ紙幣１０１は、所定の金庫や金庫室等、現金保管庫２に収納して管理される。
【００９９】
管理コードと各管理コードに関連付けて管理される紙幣の記番号は、所定タイミングで、操作端末１７から管理サーバ３０へ送信される。送信タイミングは、例えば、管理コードを作成したタイミングであってもよいし、結束帯２０２や管理票２０１にバーコードを印刷したタイミングであってもよい。また、結束紙幣１０２の装置外への投出タイミング、オープンタイプの集積部からの紙幣の抜き取りタイミングであってもよい。また、紙幣１００の入金処理確定後等のタイミングであってもよいし、操作員が操作端末１７上で所定の指示操作を行ったタイミングであってもよい。銀行や現金センターによって紙幣を管理する方法が異なるため、紙幣管理システムでは、それぞれの運用に応じて、管理サーバ３０で管理コード及び記番号の管理を開始するタイミングを設定できるようになっている。
【０１００】
管理サーバ３０では、紙幣情報管理部３１が、操作端末１７から受信した管理コード及び記番号、紙幣処理装置１０を特定可能な計数装置ＩＤ等のデータを、記憶部３２の記番号管理データ３２Ａに登録して管理する。
【０１０１】
図７は、搬出準備端末４０を中心として行う紙幣処理の処理手順を示すフローチャートである。搬出準備端末４０を操作して紙幣の搬出準備を開始すると、管理サーバ３０の記憶部３２に保存された搬出先管理データ３２Ｂに基づいて、必要な作業内容が搬出準備端末４０上に表示される。操作員は、表示に従って搬出準備作業を開始する。
【０１０２】
なお、紙幣収納袋５０及び紙幣収納カセット６０のいずれを利用して搬出準備を行うかは、図５（ｂ）に示す搬出先管理データ３２Ｂの搬出形態に基づいて指定される。紙幣収納袋５０と紙幣収納カセット６０で、行う作業は同様であるため、以下では紙幣収納袋５０を例に説明する。
【０１０３】
まず、搬出準備端末４０に表示された指示に従って、搬出準備端末４０に接続されたバーコードリーダ４１によって、紙幣収納袋５０に付された管理タグ５１のバーコードを読み取ると、バーコードで示されたバッグＩＤが搬出準備端末４０に入力され、管理サーバ３０へ送信される（ステップＳ３０）。
【０１０４】
続いて、紙幣収納袋５０に収納すべき紙幣の金種及び枚数が表示されるので、この表示に基づいて、バラ紙幣１０１及び結束紙幣１０２を紙幣収納袋５０に収納する作業を開始する。具体的には、搬出準備端末４０では、搬出先管理データ３２Ｂの紙幣情報に基づいて、収納すべきバラ紙幣１０１の金種及び枚数と収納すべき結束紙幣１０２の金種及び枚数とが表示される。操作員は、この表示に従って、必要な金種及び枚数に応じてバラ紙幣１０１及び結束紙幣１０２を現金保管庫２から取り出して、管理票２０１及び結束帯２０２に印刷されたバーコードをバーコードリーダ４１によって読み取る作業を行う。バーコードで示された管理コードは、搬出準備端末４０に入力された後、管理サーバ３０へ送信される（ステップＳ３１）。
【０１０５】
管理コードの入力を終えたバラ紙幣１０１及び結束紙幣１０２は、紙幣収納袋５０へ収納される（ステップＳ３２）。管理コードを読み取ってバラ紙幣１０１及び結束紙幣１０２を紙幣収納袋５０へ収納する作業は、紙幣収納袋５０へ収納するよう設定された全ての紙幣の収納が完了するまで続けられる（ステップＳ３３；Ｎｏ）。搬出準備端末４０上では、管理コードが入力される度に、紙幣収納袋５０に収納しなければならない紙幣の金種及び枚数が更新されるので、操作員は、この情報を確認しながら収納作業を続ける。
【０１０６】
紙幣収納袋５０への紙幣の収納が完了した後（ステップＳ３３；Ｙｅｓ）、搬出先管理データ３２Ｂに、さらに準備すべき紙幣収納袋５０又は紙幣収納カセット６０が登録されていれば（ステップＳ３４；Ｎｏ）、新たに紙幣収納袋５０又は紙幣収納カセット６０を準備して（ステップＳ３０）、紙幣を収納する作業を繰り返す（ステップＳ３１〜Ｓ３３）。具体的には、例えば、支店７０の運用金として紙幣収納袋５０に紙幣を収納して準備した後、さらに、ＡＴＭ８０に補充するための紙幣を紙幣収納カセット６０に収納して準備する作業が行われる。
【０１０７】
そして、搬出先管理データ３２Ｂに登録された全ての紙幣収納袋５０及び紙幣収納カセット６０へ紙幣を収納する作業を終えると（ステップＳ３４；Ｙｅｓ）、搬出準備作業を完了する。
【０１０８】
管理サーバ３０では、紙幣情報管理部３１が、搬出準備端末４０から受信したバッグＩＤ及びカセットＩＤと、バラ紙幣１０１及び結束紙幣１０２の管理コードとを、搬出先管理データ３２Ｂにある店舗ＩＤ及び搬出先装置ＩＤと関連付けて、記憶部３２の紙幣管理データ３２Ｃに登録して管理する。これにより、管理サーバ３０で管理される記番号管理データ３２Ａ及び紙幣管理データ３２Ｃに基づいて、支店７０やＡＴＭ８０に向けて搬出した全ての紙幣の記番号を特定することが可能となる。
【０１０９】
本実施形態では、複数紙幣の記番号を一括管理するための管理情報である管理コードについて、これを示す情報としてバーコードを利用する例を示したが、本実施形態がこれに限定されるものではなく、例えば、２次元バーコードや独自の図形コードを利用する態様であってもよいし、文字又は数字を利用する態様であっても構わない。例えば、管理コードを文字や数字で表示する場合には、バーコードリーダ４１に代えてハンディスキャナを利用して文字認識を行うことにより同様の機能及び動作を実現することができる。
【０１１０】
また、バラ紙幣１０１及び結束紙幣１０２から、これらを管理する管理コードの情報を取得することができれば、バーコードや文字を印刷して利用する態様に限定されず、ＩＣタグ等、ＲＦＩＤ技術を利用したカードやチップを利用する態様であっても構わない。例えば、管理コードを記録したＩＣタグをバラ紙幣１０１及び結束紙幣１０２に付して、バーコードリーダ４１に代えてＩＣタグリーダを利用することにより同様の機能及び動作を実現することができる。管理コードを含む管理情報を記録した管理票、カード、チップなどは、バラ紙幣１０１や結束紙幣１０２と一緒にゴムで束ねたり、クリップ留めしたりすることにより、一括管理される紙幣に添付される。また、結束紙幣１０２については、管理情報を結束帯２０２に印刷する態様以外に、管理票、カード、チップなどを結束帯２０２にクリップ留めしたり貼り付けたりすることにより添付してもよい。
【０１１１】
また、多くのデータを記録可能な情報記録担体である２次元バーコードやＩＣタグを利用する場合には、管理情報として、管理コードに代えて又は加えて、全ての紙幣の記番号を記録する態様であっても構わない。この場合は、例えば、全ての紙幣の記番号を記録した２次元バーコードをバラ紙幣１０１及び結束紙幣１０２に付して現金保管庫２に保管して、搬出準備端末４０による搬出準備を行う際に、２次元バーコードを読み取って、得られた全ての紙幣の記番号を管理サーバ３０に送信する。そして、これらの記番号を、記憶部３２の紙幣管理データ３２Ｃで管理すれば、上述した紙幣管理システムと同様の機能を実現することができる。
【０１１２】
また、紙幣収納袋５０を識別するバッグＩＤや紙幣収納カセット６０を識別するカセットＩＤ等、紙幣収納容器を識別する収納容器識別情報についても、これを示す情報をバーコードで示す態様の他、２次元バーコード、図形コード、文字や数字を利用して示す態様であってもよいし、ＩＣタグ等を利用する態様であっても構わない。収納容器識別情報は、紙幣収納容器に直接印刷することにより添付してもよいし、収納容器識別情報を記録したタグ、カード、チップなどを紙幣収納容器に括り付けたり貼り付けたりすることにより添付してもよい。
【０１１３】
また、本実施形態では、紙幣処理装置１０に操作端末１７が接続される態様を示したが、紙幣処理装置１０単体で、操作端末１７に関する機能及び動作を実現する態様であっても構わない。
【０１１４】
また、管理票２０１及び結束帯２０２に、管理コードに加えて印刷する情報については、図５（ａ）の記番号管理データ３２Ａで管理される作成日時、入金処理番号、計数装置ＩＤ、束ＩＤ、金額の中から、任意に選択することができる。また、この他、紙幣の正損に関する情報を印刷することもできる。例えば、正損情報として、テラーが利用できる状態であるテラーフィット、ＡＴＭで利用できる状態であるＡＴＭフィット等を示す情報を、管理票２０１や結束帯２０２に印刷すれば、テラーフィットのバラ紙幣１０１及び結束紙幣１０２を紙幣収納袋５０へ収納して、ＡＴＭフィットのバラ紙幣１０１及び結束紙幣１０２を紙幣収納カセット６０へ収納する作業を容易に行うことができる。また、結束帯２０２では、管理コードを結束紙幣１０２の表面から読み取ることができれば、他の情報は、結束紙幣１０２の側面や裏面に印刷される態様であっても構わない。管理票２０１についても、情報印刷に両面を利用して、一部の情報を裏面に印刷する態様であっても構わない。
【０１１５】
また、本実施形態では、搬出先管理データ３２Ｂに従って紙幣収納袋５０及び紙幣収納カセット６０の搬出準備を行う態様を示したが、紙幣収納袋５０及び紙幣収納カセット６０に対応する搬出先管理データ３２Ｂを読み出して、搬出準備を行う態様であっても構わない。具体的には、紙幣収納袋５０及び紙幣収納カセット６０に付された管理タグ５１、６１に、収納容器情報として、搬出先となる支店７０やＡＴＭ８０を特定する店舗ＩＤ及び搬出先装置ＩＤを含めておいて、これらを搬出準備端末４０に入力することによって、管理サーバ３０から、これらの搬出先に対応する搬出先管理データ３２Ｂが読み出され、読み出したデータに基づいて搬出準備を行う。
【０１１６】
上述してきたように、本実施形態によれば、銀行本店や現金センターに運び込まれた複数紙幣の入金処理を行う段階で各紙幣の記番号を読み取って、管理コードによって一括管理し、管理中の紙幣の搬出準備を行う際には、管理コードに基づいて紙幣の記番号を特定することができるので、運び出す際に紙幣の記番号を読み取る処理を行う必要がない。
【０１１７】
また、管理コード、バッグＩＤ及びカセットＩＤがバーコードの形で付されているため、バーコードリーダ等の読取装置を利用して入力することが可能となり、これらの情報を手入力する場合のように入力ミスを生ずることがない。
【０１１８】
また、一括管理中の紙幣の記番号と関連付けられた管理コードと、この紙幣の搬出に利用した紙幣収納容器の収納容器ＩＤと、この紙幣収納容器の搬出先となる店舗の店舗ＩＤやＡＴＭ等の装置の装置ＩＤとを管理することにより、店舗や装置で利用された紙幣の記番号を特定することができる。
【産業上の利用可能性】
【０１１９】
以上のように、本発明に係る紙幣管理システム及び紙幣管理方法は、銀行本店や現金センターで管理される大量の紙幣を、記番号を利用して容易に管理するために有用である。
【符号の説明】
【０１２０】
１  銀行本店
２  現金保管庫
１０  紙幣処理装置
１１  識別計数処理部
１２  記番号読取部
１３  結束帯印刷部
１４  紙幣結束部
１５  端数紙幣投出部
１６  紙幣抜取検知部
１７  操作端末
２０  プリンタ
３０  管理サーバ
３１  紙幣情報管理部
３２  記憶部
４０  搬出準備端末
４１  バーコードリーダ
５０  紙幣収納袋
５１、６１  管理タグ
６０  紙幣収納カセット
７０  銀行支店
８０  ＡＴＭ
【図１】
2015056010.tif 000003
【図２】
2015056010.tif 000004
【図３】
2015056010.tif 000005
【図４】
2015056010.tif 000006
【図５】
2015056010.tif 000007
【図６】
2015056010.tif 000008
【図７】
2015056010.tif 000009